(57)【要約】【課題】双眼鏡を両手で確実に保持しつつピントリングを回転操作することができる双眼鏡を提供する。【解決手段】第１対物レンズ、第２対物レンズ３３Ｒ、プリズム及び接眼レンズを有する光学系と、前記第２対物レンズを収容し前記光学系の光軸３１Ｒ方向に摺動可能な対物レンズ室３８Ｒとをそれぞれ備える左右の鏡筒と、前記左右の鏡筒の中間で前記左右の鏡筒を連結する機軸部４と、前記機軸部の前記第１対物レンズ側の端部が露出するように前記機軸部の前記第１対物レンズ側に設けられるピントリング２０と、前記ピントリングの回転運動を前記機軸部の軸６方向の直線運動に変換する昇降板４３と、前記昇降板と共に前記直線運動する連動棒４１Ｒと、前記連動棒を前記機軸部の軸方向に摺動可能に支持し、前記第１対物レンズ側が前記ピントリングの内側まで延びる軸受け４２Ｒと、前記連動棒の前記プリズム側の端部に固定され且つ前記対物レンズ室の前記プリズム側端面付近に係止される連動駒４０Ｒとを備える。【選択図】図２
2011203559.tif 000002
【特許請求の範囲】
【請求項１】
第１対物レンズ、第２対物レンズ、プリズム及び接眼レンズを有する光学系と、
前記第２対物レンズを収容し前記光学系の光軸方向に摺動可能な対物レンズ室とをそれぞれ備える左右の鏡筒と、
前記左右の鏡筒の中間で前記左右の鏡筒を連結する機軸部と、
前記機軸部の前記第１対物レンズ側の端部が露出するように前記機軸部の前記第１対物レンズ側に設けられるピントリングと、
前記ピントリングの回転運動を前記機軸部の軸方向の直線運動に変換する昇降板と、
前記昇降板と共に前記直線運動する連動棒と、
前記連動棒を前記機軸部の軸方向に摺動可能に支持し、前記第１対物レンズ側が前記ピントリングの内側まで延びる軸受けと、
前記連動棒の前記プリズム側の端部に固定され且つ前記対物レンズ室の前記プリズム側端面付近に係止される連動駒と
を備えることを特徴とする双眼鏡。
【発明の詳細な説明】
【技術分野】
【０００１】
本発明は、双眼鏡に関するものである。
【背景技術】
【０００２】
従来、バードウォッチング、ハンティングおよびマリンスポーツ等の分野において、双眼鏡は遠くの物を拡大観察する用途で幅広く使用されている（例えば、特許文献１参照）。観察者は、双眼鏡で目標物を観察する場合に左右両手で双眼鏡の鏡筒全体を包み込むように握り、目標物にピントを合わせるためにピントリングを回転操作する。ピントリングが機軸部の対物レンズ側先端面にある双眼鏡においては、目標物にピントを合わせる際、ピントリングを回転操作する一方の手を鏡筒から離し、他方の手だけで双眼鏡を保持しつつ目標物の観察を行っている。
【先行技術文献】
【特許文献】
【０００３】
【特許文献１】特開２００７−２１２４９７号公報
【発明の概要】
【発明が解決しようとする課題】
【０００４】
目標物にピントを合わせる際、上述の双眼鏡は片手で保持され、しかも双眼鏡を握る観察者の親指の位置が双眼鏡の重心から大きく離れているため双眼鏡は非常に不安定な状態となる。この場合にピントリングを回転操作する人差し指または中指からの力は、双眼鏡を握る親指の位置を支点として双眼鏡の対物レンズ側を下に向ける方向に働くため、ピントリングを回転操作する力によって双眼鏡が微振動することがある。微振動は双眼鏡の倍率に応じて増幅され視界が大きく揺れるため、微妙なピント合わせが困難であり目標物にピントを合わせるためにピントリングの回転操作による微調整を何度も繰り返し行わなければならず、ピントを合わせるために時間を要していた。また、その間、不安定な状態で双眼鏡を保持し続けなければならないため、誤って双眼鏡を落とさないように気を配る必要があり、観察者はピント合わせに神経を使っている。
【０００５】
本発明の目的は、双眼鏡を両手で確実に保持しつつピントリングを回転操作することができる双眼鏡を提供することである。
【課題を解決するための手段】
【０００６】
本発明の双眼鏡は、第１対物レンズ、第２対物レンズ、プリズム及び接眼レンズを有する光学系と、前記第２対物レンズを収容し前記光学系の光軸方向に摺動可能な対物レンズ室とをそれぞれ備える左右の鏡筒と、前記左右の鏡筒の中間で前記左右の鏡筒を連結する機軸部と、前記機軸部の前記第１対物レンズ側の端部が露出するように前記機軸部の前記第１対物レンズ側に設けられるピントリングと、前記ピントリングの回転運動を前記機軸部の軸方向の直線運動に変換する昇降板と、前記昇降板と共に前記直線運動する連動棒と、前記連動棒を前記機軸部の軸方向に摺動可能に支持し、前記第１対物レンズ側が前記ピントリングの内側まで延びる軸受けと、前記連動棒の前記プリズム側の端部に固定され且つ前記対物レンズ室の前記プリズム側端面付近に係止される連動駒とを備えることを特徴とする。
【発明の効果】
【０００７】
本発明によれば、双眼鏡を両手で保持しつつピントリングを回転操作することができる。
【図面の簡単な説明】
【０００８】
【図１】実施の形態に係る双眼鏡の部分断面図である。
【図２】実施の形態に係る図１におけるＡ部拡大図である。
【発明を実施するための形態】
【０００９】
以下、本発明の実施の形態に係る双眼鏡について説明する。図１は、本発明の実施の形態に係る双眼鏡の部分断面図である。図１に示すように、双眼鏡２は、第１対物レンズ３２Ｒ、第２対物レンズ３３Ｒ、プリズム３４Ｒ及び接眼レンズ３５Ｒを有する光学系を備える鏡筒３０Ｒと、第１対物レンズ３２Ｌ、第２対物レンズ３３Ｌ、プリズム３４Ｌ及び接眼レンズ３５Ｌを有する光学系を備える鏡筒３０Ｌと、鏡筒３０Ｒと鏡筒３０Ｌの中間で鏡筒３０Ｒと鏡筒３０Ｌとを連結する機軸部４を備えている。ここで、機軸部４は、軸６を回動中心として鏡筒３０Ｒ，３０Ｌを折り曲げ鏡筒３０Ｒと鏡筒３０Ｌとのなす角度を変更可能に構成されている。ここで、双眼鏡２は中央繰り出し式双眼鏡であり、後述するピントリング２０を回転操作することによって、第２対物レンズ３３Ｒ，３３Ｌが光軸３１Ｒ，３１Ｌに沿って同時に移動する。なお、鏡筒３０Ｒ，３０Ｌの光学系の光軸３１Ｒ，３１Ｌはそれぞれ平行である。
【００１０】
次に、鏡筒３０Ｒ，３０Ｌの構成を説明する。鏡筒３０Ｒと３０Ｌの構成は、接眼レンズ３５Ｌが本体ボディ３６Ｌに固定されていることを除いて同一であるため、鏡筒３０Ｌの構成の説明は省略し、鏡筒３０Ｒについてのみ説明する。鏡筒３０Ｒの第１対物レンズ３２Ｒ、第２対物レンズ３３Ｒ、プリズム３４Ｒ及び接眼レンズ３５Ｒは光軸３１Ｒに沿って順に配置され、第１対物レンズ３２Ｒ、第２対物レンズ３３Ｒ、プリズム３４Ｒ及び接眼レンズ３５Ｒによって鏡筒３０Ｒの望遠光学系が構成されている。第１対物レンズ３２Ｒ及びプリズム３４Ｒは本体ボディ３６Ｒに固定されている。接眼レンズ３５Ｒは、図示しない伝達機構を介して視度調節環３７に連結され、視度調節環３７の回転に応じて接眼レンズ３５Ｒが光軸３１Ｒ方向に移動する。なお、本体ボディ３６Ｒの外側には本体カバー４４Ｒが接着固定されている。
【００１１】
第２対物レンズ３３Ｒは、押さえ環３８ａＲにより第２対物レンズ室３８Ｒに固定されている。第２対物レンズ室３８Ｒは、本体ボディ３６Ｒの内径面に対して光軸３１Ｒ方向に直線摺動可能に嵌合している。第２対物レンズ室３８Ｒのプリズム３４Ｒ側端面にはコイルバネ３９Ｒが接している。コイルバネ３９Ｒの他方の端面は本体ボディ３６Ｒの内径面に突き出した壁の側面に固定されている。ここで、コイルバネ３９Ｒは圧縮ばねでありコイルバネ３９Ｒの力により、第２対物レンズ室３８Ｒは第１対物レンズ３２Ｒ側へ押圧されている。また、第２対物レンズ室３８Ｒの外径のプリズム３４Ｒ側端面付近には、連動駒４０Ｒが係止されており、第２対物レンズ室３８Ｒは連動駒４０Ｒの動きに常に遅れることなく追従する。
【００１２】
図２は、図１におけるＡ部拡大図である。図２に示すように、連動駒４０Ｒは連動棒４１Ｒのプリズム３４Ｒ側の先端に固定されている。また、連動棒４１Ｒの他方の先端は、昇降板４３の外径のつば４３ａにガタ無く噛み合った状態で固定されている。また、連動棒４１Ｒは、軸受け４２Ｒに対して軸６方向に直線摺動可能に嵌合されている。軸受け４２Ｒは、本体ボディ３６Ｒに固定されている。ここで、軸受け４２Ｒの昇降板４３側の先端はピントリング２０のピントリング本体２０ａの内側にまで延びている。また、昇降板４３の中心部には雌ネジが形成されている。また、ピントリング本体２０ａの中心部の円筒側面には雄ネジが形成されており、昇降板４３の雌ネジとピントリング本体２０ａの雄ネジとがガタ無く螺合されている。
【００１３】
ピントリング本体２０ａには、ピントリングゴム２０ｂが被せられており、ピントリング本体２０ａとピントリングゴム２０ｂとは強固に接着固定されている。ピントリングゴム２０ｂの先端面には丸孔が形成されており、ピントリング本体２０ａは機軸部４の先端面にピントリング取付環１０により取り付けられ、ピントリング２０は機軸部４に対してガタ無く滑らかに回動する。ピントリング取付環１０の先端面は、ピントリングゴム２０ｂの先端面より僅かに出っ張った円形のつば形状を有し、ピントリング取付環１０の第１対物レンズ３２Ｒ側先端面には、化粧蓋４５が取り付けられている。なお、双眼鏡２を手に持たず、三脚に固定して観察を行う場合には、化粧蓋４５を取外しピントリング取付環１０の先端面に設けられる雌ネジを用いて三脚に連結固定することができる。
【００１４】
ここで、上述の軸受け４２Ｒの昇降板４３側の先端がピントリング本体２０ａの内側にまで延びていることによる３つの効果について説明する。第１の効果は、連動棒４１Ｒの直線摺動運動を円滑なものとすることであり、ピントリング２０の回転角度に対するピントの合い方の再現性に貢献する。第２の効果は、連動棒４１Ｒの昇降板４３との噛み合わせ部分の昇降板４３からの外れを防止することであり、連動棒４１Ｒと昇降板４３とが干渉し、ピントリング２０が回転しなくなることを回避する。第３の効果は、機軸部４全体の配置を相対的に接眼レンズ３５Ｒ側へ移動させることであり、ピントリング２０を鏡筒３０Ｒのくびれ部３０ａＲの近傍へ配置することを可能とする。これにより、後述する双眼鏡２の握り方の実現に大きく貢献する。なお、後述する双眼鏡２の握り方の実現には、連動駒４０Ｒと第２対物レンズ室３８Ｒとの係止部分を、第２対物レンズ室３８Ｒの外径のプリズム３４Ｒ側端面付近へ配したことも貢献している。
【００１５】
次に、ピントリング２０が回転操作された時の第２対物レンズ３３Ｒ，３３Ｌの動きを説明する。ここで、第２対物レンズ３３Ｌの動きは第２対物レンズ３３Ｒの動きと同様であるため、第２対物レンズ３３Ｒの動きのみを説明する。ピントリング２０の表面、つまり、ピントリングゴム２０ｂが回転操作されると、ピントリングゴム２０ｂと共にピントリング本体２０ａが回転する。一方、昇降板４３は、本体ボディ３６Ｒに固定されている軸受け４２Ｒ及び連動棒４１Ｒを介して回転を抑止されているため回転しない。ここで、ピントリング本体２０ａと昇降板４３とは螺旋ネジにて螺合されているため、ピントリング本体２０ａの回転運動は、昇降板４３の光軸３１Ｒ方向への直線運動へ変換される。また、昇降板４３の直線運動は、連動棒４１Ｒ及び連動駒４０Ｒを介して第２対物レンズ室３８Ｒの光軸３１Ｒ方向への直線運動へ変換される。つまり、ピントリング本体２０ａの回転運動は、第２対物レンズ３３Ｒの光軸３１Ｒ方向への直線運動へ変換され、第１対物レンズ３２Ｒと第２対物レンズ３３Ｒとの合成焦点距離が変化するため、観察している目標物のピントの合い方が変化する。ここで、ピントリング２０を反転操作すると、第２対物レンズ室３８Ｒはコイルバネ３９Ｒによる力を常に受けているため、第２対物レンズ室３８Ｒは瞬時にその直線運動の方向を変える。また、コイルバネ３９Ｒからの力により、本体ボディ３６Ｒの内径と第２対物レンズ室３８Ｒの外径との僅かな隙間に起因する第２対物レンズ室３８Ｒの僅かな傾きが常に一定に保たれる。
【００１６】
本発明の実施の形態に係る双眼鏡２の使用方法を説明する。観察者が観察に入る前の準備作業として、双眼鏡２を観察者に適合させるため、目当て繰り出し操作、眼幅調節及び視度調節を行う。目当て繰り出し操作は、眼鏡を装用しない観察者のための操作であり、目当てゴム４６Ｒ，４６Ｌに顔を押し当てたとき、接眼レンズ３５Ｒ，３５Ｌと眼との距離を最適に保ち、かつ眼に外乱光が入らないようにするためのものである。観察者が目当てゴム４６Ｒ，４６Ｌを指でつまんで回転させると、目当てゴム４６Ｒ，４６Ｌが光軸３１Ｒ，３１Ｌを中心として回転しつつ繰り出される。眼幅調節は、右の鏡筒３０Ｒの光学系を通して見た右眼の視界と、左の鏡筒３０Ｌの光学系を通して見た左眼の視界とをひとつに重ね合わせる操作である。観察者が左右の鏡筒３０Ｒ，３０Ｌを機軸部４の軸６を中心として折り曲げ鏡筒３０Ｒ，３０Ｌのなす角度を変える。視度調節は、左右の眼の視度の差を調節する操作である。観察者が視度調節環３７を回転させると、視度調節環３７に連結されている接眼レンズ３５Ｒは光軸３１Ｒに沿って移動する。以上の準備作業を完了してから観察を開始する。
【００１７】
観察者は左右の人差し指と親指で鏡筒３０Ｒ，３０Ｌのくびれ部３０ａＲ，３０ａＬを握り、左右の小指と薬指で第１対物レンズ３２Ｒ，３２Ｌが内部にある鏡筒３０Ｒ，３０Ｌの先端部分を握る。そして、左右の薬指の中指側の側面を化粧蓋４５に当てる。また、ピントリング２０に少なくとも左右何れか一方の中指を置く。
【００１８】
目標物を観察する場合には、目当てゴム４６Ｒ，４６Ｌを顔に当て、双眼鏡２の視界に目標物を入れる。この段階では目標物にまだピントが合っていない。目標物にピントを合わせるために、ピントリング２０を中指で回転操作しつつ、目標物のピントの合い方を調節する。目標物に最も良くピントが合っている状態は、その状態から更にピントリング２０を回転操作し、ピントが合わなくなり始めた時に初めて、先程が最良の状態であったとわかる。従って、ピントリング２０の回転操作は、回転方向を交互に反転させる操作の繰り返しとなり、ピントリング２０の回転角度が徐々に小さくなることに同調して、目標物のピントの合い方も徐々に最良の状態に収束していく。ピントの合い方が徐々に最良の状態に収束していく過程で、鏡筒３０Ｒ，３０Ｌに対してピントリング２０を回転操作する中指から双眼鏡２の全体に微妙な力が加わるが、鏡筒３０Ｒ，３０Ｌの第１対物レンズ３２Ｒ，３２Ｌ側が観察者の左右の小指と薬指で、また鏡筒３０Ｒ，３０Ｌのくびれ部３０ａＲ，３０ａＬが左右の人差し指と親指で確実に握られているので双眼鏡２は安定した状態で保持される。従って、双眼鏡２の視界が振動することはない。
【００１９】
本発明の実施の形態に係る双眼鏡によれば、双眼鏡を両手で確実に保持しつつピントリングを回転操作することができる。これにより、ピントリングを回転操作する力によって双眼鏡に与える微振動の発生を防止することができる。また、ピントを合わせの必要がない場合において、双眼鏡の重心付近に観察者の親指が位置しているため、指先に力を入れること無く、楽な姿勢で長時間の観察が可能となる。
【００２０】
なお、上述の実施の形態において、鏡筒３０Ｒ，３０Ｌのピントリング２０近傍側面に凹を設けてあるが、これはピントリング２０の外径を従来同様の大きさに保ちつつ、鏡筒３０Ｒ，３０Ｌとピントリング２０との距離も従来同様とするためである。ピントリング２０の外径は従来同様なので、微妙なピント合わせの操作性は従来同様である。鏡筒３０Ｒ，３０Ｌとピントリング２０との距離は従来同様なので、中指に引っ掛かるピントリングゴム２０ｂの円筒面の長さは従来同様であり、ピントリング２０をひとかきすることにより、ピントを調節できる範囲は従来同様である。
【符号の説明】
【００２１】
２…双眼鏡、４…機軸部、６…軸、２０…ピントリング、３０Ｒ…鏡筒、３１Ｒ…光軸、３２Ｒ…第１対物レンズ、３３Ｒ…第２対物レンズ、３４Ｒ…プリズム、３５Ｒ…接眼レンズ、３８Ｒ…第２対物レンズ室、４０Ｒ…連動駒、４１Ｒ…連動軸、４２Ｒ…軸受け、４３…昇降板。
【図１】
2011203559.tif 000003
【図２】
2011203559.tif 000004